(57)【特許請求の範囲】
【請求項１】
管継手と管の接続部の水漏れの有無を検査するために管継手及び管内に検査用の水を導入した際、内部に残留する空気を排除するために用いられるプラグであること；
管継手の一端部に一時的に螺着させてその管継手を封ずるプラグ本体に空気を抜き出す貫通路を設けること；
貫通路部分には押しばねにより閉鎖位置側に付勢されて常態で貫通路内の弁座に着座する弁体を装着すること；
前記弁体はプラグ本体の外側から操作されて押しばねに抗して開放できるようにしてあること；
前記貫通路の一部は、プラグ本体を管継手の一端部に螺着又は離脱させるときに用いる工具を係着させるための断面形状非円形の工具係着孔に兼用されていること；
を構成条件とする漏水検査用プラグ。
【請求項２】
プラグ本体における螺着対象管継手の一端面が対向する部分に環状のシ−ル手段を設けた請求項第１項記載の漏水検査用プラグ。
【請求項３】
プラグ本体における弁体の対向部分に環状のシ−ル手段を設けた請求項第１項記載の漏水検査用プラグ。
【発明の詳細な説明】
【０００１】
【発明の属する技術分野】
この発明は、集合住宅の配管工事等に用いられる管継手と管との接続部の漏水検査用プラグに関する。
【０００２】
【従来の技術】
集合住宅の水道の配管工事等においては、管継手に管を接続させる際に通常ワンタッチ型の管継手が採用されているが、この場合、管継手に対して管の差し込み方が不十分であったりすると、後に水漏れの問題を生ずるため、工事中に水漏れの有無について十分な検査を行うことが要求されている。
【０００３】
ここで従来の管継手と管との間の漏水検査についてその手順の一例を示す。
（１）管継手の一端に管を接続し他端の雌ねじ部分にシ−ル用のフィルムにて覆われた雄ねじを有する円柱状の柱体をねじ込んで管の一端を密封する。この際互いにねじ合された管継手の雌ねじと栓体の雄ねじとの間にはシ−ル用のフィルムが介入され両者間は密封されていることになる。
（２）次いで、接続管の一端側に接続された管内に検査用の水を導入する一方で、水圧付加による漏水の有無の確認（接続が完全か否かの確認）時に、検査の邪魔になる管継手及び管内の残留空気を抜くため、微妙な手加減で栓体を少し緩めつつ外部へその残留空気を放出させる。そして残留空気を排出させた後は栓体は再び締め付けられる。。
（３）管内の水圧を上げ管継手と管との間の水漏れの有無を検査する。勿論、水漏れがある場合には、管継手と管との接続は正常な態様に直される。
そして、上記の各作業工程では専用のスパナが必要となり、作業性が悪くかつコストアップを伴う。
【０００４】
このような管継手と管との間の従来の漏水検査においては、全体としての作業が面倒であること、検査終了後に管継手のねじ部及び栓体のねじ部に圧接されて付着したシ−ル用のフィルムはその全てを除去しなければならず手間が掛ること、管継手のねじ部にフィルムが残っているとそこへ更に接続される蛇口等の螺合において支障をきたすこと、管継手と蛇口等との密封状態が不完全になること、等多くの問題が残されていた。
【０００５】
【発明が解決しようとする課題】
本発明に係る漏水検査用プラグは、前記の問題点を解決するために提案されたもので、水道等の配管工事において管継手と管との接続部の漏水検査を容易にして迅速に行えるようにすると共に、シ−ル用のフィルムの使用を排除することを目的として提案されたものである。
【０００６】
【課題を解決するための手段】
上記の目的を達成するため、本発明に係る漏水検査用プラグは、管継手と管の接続部の水漏れの有無を検査するために管継手及び管内に検査用の水を導入した際、内部に残留する空気を排除するために用いられること；管継手の一端部に一時的に螺着させてその管継手を封ずるプラグ本体に空気を抜き出す貫通路を設けること；貫通路部分には押しばねにより閉鎖位置側に付勢されて常態で貫通路内の弁座に着座する弁体を装着すること；前記弁体はプラグ本体の外側から操作されて押しばねに抗して開放できるようにしてあること；前記貫通路の一部は、プラグ本体を管継手の一端部に螺着又は離脱させるときに用いる工具を係着させるための断面形状非円形の工具係着孔に兼用されていること；を構成条件とする構造を有するものである。
【０００７】
そして、好ましくは、プラグ本体における螺着対象管継手の一端面が対向する部分に環状のシ−ル手段を設け、更に、プラグ本体における弁体の対向部分に環状のシ−ル手段を設けたものである。
【０００８】
【発明の実施の形態】
以下、図面に示す実施例に基いてこの発明のプラグについて説明する。
図１〜図３において、符号１は縦断面がＴ字状又は他の任意の形状に作られたプラグ本体で、このプラグ１は管継手９と管３０との間の接続部の水漏れの有無を検査するもので、管３０より検査用の水を導入した際、管継手９及び管３０内に残留する空気を排除するために用いられるものである。
【０００９】
検査対象の管継手９と管３０の接続部の一例は図４に示すものであり、管継手９の一端側にグラブリング９１、ワッシャ−９２、Ｏ−リング９３等が内蔵され、これがソケット９４にて固定されている。そして、例えば樹脂管３０の先端にカラ−３１が嵌め込まれ、これが差し込まれて接続されることとなる。この接続にあって、管３０の外表面にグラブリング９１の爪が食い込み、ここに管３０の差し込みが完了することとなるが、管３０の差し込みが不十分であると、グラブリング９１の爪の食い込みが足りず或いはＯ−リング９１との接触が完全ではなくなり漏水が生じることとなってしまう。
【００１０】
さて、本発明のプラグはかかる管継手９に管３０の差し込みの完全性を確認するものであって、正面が円形をなすプラグ本体１の後方の小径部にはその外周面に雄ねじ１ａが刻設されており、この雄ねじ１ａは管継手９の一端部の内周面に設けられた雌ねじ９ａに検査時に一時的にねじ合される。プラグ本体１には中心軸線に沿って空気抜きのための貫通路２が設けてあり、図示例のものにあっては、その貫通路２は前方から後方に亘って順に連設された横断面が非円形の工具係着孔２１、横断面円形の小径孔２２及び横断面円形の大径孔２３からなる。
【００１１】
そして、貫通路２の大径孔２３には内側から外側に向け順にＯ−リング等の環状のシ−ル手段３、好ましくは球形をなす任意の形状の弁体４及び圧縮コイルばね等の押しばね５が挿入され、それらの部材３、４、５は、中央部に流通孔６ａを有する有底円筒状の止め片６により、貫通路２の大径孔２３内に変形又は変位が可能な状態で脱落不能に保持されている。止め片６の大径孔２３に対する固定手段としては、かしめ付け、溶接又は接着等が採用され得る。
【００１２】
弁体４に対向するようにしてプラグ本体１の大径孔２３の底部に装着されたシ−ル手段３は、常態である弁体４の非作動時に管継手９内の空気及び水を外部に対し密に保つことができるようにしたもので、常態で貫通路２の段部に設けた弁座１ｂと弁体４との間の密封性を補強するために設けたものである。但し、このシ−ル手段３は弁体４と弁座１ｂとの間の密封性が十分である場合は必ずしも設けることを要しない。
【００１３】
前記の弁体４は、常態において押しばね５に付勢されて弁座１１に着座されているが、小径孔２２及び工具係着孔２１を通じてプラグ本体１の外部にその一部が露出している。従って、棒状の工具類（図示しない）を貫通路２から図４の矢印Ａのように差し込んで、押しばね５の付勢力に抗して弁体４を押し込んでやれば弁体４は開放するところとなり管継手９内の空気又は水の流出を許容する。
【００１４】
図中、符号７はプラグ本体１における段部即ち螺着対象管継手９の一端面が対向する部分に設けたＯ−リング等の環状のシ−ル手段で、管継手９が螺着された状態において管内の空気又は水を密に保つことができるようにしたもので、プラグ本体１の雄ねじ１ａと管継手９の雌ねじ９ａの螺合における密封性を補強するために設けたものである。又、図示はしないが、検査の対象管継手９の一端部の回りに雄ねじが切られている場合には、プラグ本体１の後部に円筒部を形成しその周囲に雌ねじを設けて、それらによって両者を螺着するようにしてもよい。
尚、プラグ本体１を検査対象管継手９に対し螺合させ又はそれから離脱させるための工具は特別のものである必要はない。
【００１５】
次に、本発明の漏水検査用プラグの使用について説明する。
（１）漏水の検査においては、先ず、管継手９の一端に管３０を接続し、他端に本発明のプラグを螺着してその管継手９を封じる。
（２）次いで、管３０内に検査用の水を導入する一方で、棒状の工具類を貫通路２から矢印Ａのように差し込み弁座１１に着座している弁体４を押しばね５に抗して押し込み、弁体４を開放させ、管継手９内から漏水検査の邪魔になる残留空気を貫通路２を通じて外部へ排出させる。
（３）そして棒状工具を抜き取った後、管継手９及び管３０内の水圧を所定の高さまで上昇させ、管継手９の接続部分について漏水の有無を検査する。検査後はプラグ本体１を管継手９から取り外す。水漏れがある場合には、管の接続部を適正な状態となるように直すことは言うまでもない。
【００１６】
【発明の効果】
以上に説明した本発明の漏水検査用プラグによれば、水道の配管工事等において管継手と管との接続部の漏水検査を極めて容易にして迅速に行えるようにすると共に、シ−ル用のフィルムの使用を排除することができるので、配管工事を管の水漏れのない状態で効率的に行えるという効果を奏する。尚、本発明の漏水用検査プラグは給水、給湯用の管にだけではなく、油圧ホ−ス等の接続検査にも適用できることは言うまでもない。
【図面の簡単な説明】
【図１】図１は漏水用プラグの実施例を示す正面図である。
【図２】図２は図１のプラグの側面図である。
【図３】図３は図１のプラグの縦断側面図である。
【図４】図４は管継手と管との接続の一例を示す断面図である。
【符号の説明】
１‥プラグ本体、
１ｂ‥弁座、
２‥貫通路、
３‥シ−ル手段、
４‥弁体、
５‥押しばね、
７‥シ−ル手段、
９‥管継手、
３０‥管。
【図１】
0004104753.tif 000002
【図２】
0004104753.tif 000003
【図３】
0004104753.tif 000004
【図４】
0004104753.tif 000005